(57)【要約】【課題】内視鏡の使用後の所定時間経過に基づいた内視鏡洗浄消毒処理を行う。【解決手段】内視鏡洗浄消毒装置３は、洗浄消毒対象である内視鏡挿入部の検査終了時刻を現在時刻と比較し、検査終了時刻が所定時間以内ならば自動あるいはマニュアルで設定した時間に基づき、自動ブラッシング、自動洗浄及び自動消毒を実行し、検査終了時刻が所定時間経過している場合は、内視鏡挿入部の前洗浄を警告するので、確実かつ効果的に内視鏡挿入部をブラッシング、洗浄及び消毒する。【選択図】図１
2007325724.tif 000002
【特許請求の範囲】
【請求項１】
管腔内に挿入する挿入部を備えた内視鏡を用い、内視鏡検査を行う内視鏡検査装置と、
前記内視鏡を、少なくとも洗浄及び消毒する内視鏡洗浄消毒装置と、
前記内視鏡検査装置における前記内視鏡検査の終了時間を記憶する第１の時間記憶手段と
を備え、
前記内視鏡洗浄消毒装置は、前記第１の時間記憶手段が記憶した前記内視鏡検査の終了時間に基づき、前記内視鏡の、少なくとも洗浄及び消毒工程を制御する洗浄及び消毒工程制御手段を有する
ことを特徴とする内視鏡洗浄消毒管理システム。
【請求項２】
前記第１の記憶手段は、前記内視鏡の前記挿入部の基端部内に設けられた、無線にてデータが更新できるRF-ID素子から構成され、
前記RF-ID素子に対して前記データを読み出し及び書き込みするRF-ID読み出し書き込み手段をさらに有する
ことを特徴とする請求項１に記載の内視鏡洗浄消毒管理システム。
【請求項３】
前記第１の記憶手段は、少なくとも前記内視鏡検査装置及び前記内視鏡洗浄消毒装置とネットワーク接続されて構成される
ことを特徴とする請求項１に記載の内視鏡洗浄消毒管理システム。
【請求項４】
前記第１の記憶手段は、前記内視鏡内の記憶手段に記憶されている内視鏡を識別する内視鏡識別情報毎に、前記内視鏡検査の終了時間を記憶する
ことを特徴とする請求項１ないし３のいずれか１つに記載の内視鏡洗浄消毒管理システム。
【請求項５】
前記内視鏡洗浄消毒装置は、
少なくとも、前記第１の時間記憶手段が記憶している前記内視鏡検査の終了時間と比較するための、現在時刻を計測する現在時刻計測手段と、
前記現在時刻と前記第１の時間記憶手段が記憶している前記内視鏡検査の終了時間との時間差を、予め設定した規定時間と比較する時間比較手段と、
前記時間比較手段が前記時間差と前記規定時間とを比較した結果、前記時間差が前記規定時間を超えていると判断した場合、前記内視鏡検査の終了時間が前記規定時間を超えていることを告知する告知手段と
をさらに備えた
ことを特徴とする請求項１ないし４のいずれか１つに記載の内視鏡洗浄消毒管理システム。
【請求項６】
前記洗浄及び消毒工程制御手段は、前記内視鏡検査の終了時間に基づき、前記内視鏡の、少なくとも洗浄及び消毒工程の開始を判断して、制御する
ことを特徴とする請求項１ないし５のいずれか１つに記載の内視鏡洗浄消毒管理システム。
【請求項７】
前記内視鏡洗浄消毒装置は、前記内視鏡の内部に挿入軸に沿って設けられたチャンネル内を自動ブラシ洗浄する洗浄ブラシユニットを有し、
前記洗浄及び消毒工程制御手段は、前記現在時刻と前記第１の時間記憶手段が記憶している前記内視鏡検査の終了時間との比較結果に基づき、前記洗浄ブラシユニットによる前記チャンネル内の自動ブラシ洗浄の洗浄条件を制御して、前記洗浄及び消毒工程を制御する
ことを特徴とする請求項１ないし６のいずれか１つに記載の内視鏡洗浄消毒管理システム。
【請求項８】
前記第１の記憶手段は、少なくとも前記内視鏡検査装置及び前記内視鏡洗浄消毒装置とLANにて接続された、内視鏡検査情報を管理し検査を支援する内視鏡検査支援装置内に設けられ、
少なくとも、前記洗浄及び消毒工程制御手段は、前記第１の記憶手段に記憶されている前記内視鏡検査装置における前記内視鏡検査の終了時間を、前記LANを介して前記内視鏡検査支援装置より取得する
ことを特徴とする請求項１ないし７のいずれか１つに記載の内視鏡洗浄消毒管理システム。
【発明の詳細な説明】
【技術分野】
【０００１】
本発明は、使用済みの内視鏡の洗滌、及び消毒管理する内視鏡洗浄消毒管理システムに関する。
【背景技術】
【０００２】
体腔内の検査や治療の目的に使用される内視鏡は、体腔内に挿入される挿入部の外表面だけでなく、挿入部内に設けられている鉗子チャンネルを兼ねる吸引管路等の各内視鏡管路（チャンネル）内に体液、汚物などが付着する。そのため、内視鏡は、使用後、挿入部の外表面、及び内視鏡管路を充分に洗浄、消毒する必要がある。
【０００３】
例えば、特開平１１−７６１４５号公報は、内視鏡を洗浄するための内視鏡洗浄器を開示している。この内視鏡洗浄器は、内視鏡管路の洗浄するために、洗浄ブラシを内視鏡管路の奥部に向かって導入するためのブラシ挿入管を備えている。
【特許文献１】特開平１１−７６１４５号公報
【発明の開示】
【発明が解決しようとする課題】
【０００４】
しかしながら、内視鏡は、使用後、所定時間経過すると、特に内視鏡管路に付着した体液、汚物の除去が難しくなるために、使用後の所定時間に応じた洗浄を行う必要があるが、従来は、内視鏡の使用後の所定時間経過に基づいた体液、汚物の除去が行われておらず、効率的な内視鏡洗浄消毒処理ができないといった問題がある。
【０００５】
本発明は、上記事情に鑑みてなされたものであり、内視鏡の使用後の所定時間経過に基づいた内視鏡洗浄消毒処理を行うことのできる内視鏡洗浄消毒管理システムを提供することを目的としている。
【課題を解決するための手段】
【０００６】
本発明の内視鏡洗浄消毒管理システムは、管腔内に挿入する挿入部を備えた内視鏡を用い、内視鏡検査を行う内視鏡検査装置と、
前記内視鏡を、少なくとも洗浄及び消毒する内視鏡洗浄消毒装置と、
前記内視鏡検査装置における前記内視鏡検査の終了時間を記憶する第１の時間記憶手段と
を備え、
前記内視鏡洗浄消毒装置は、前記第１の時間記憶手段が記憶した前記内視鏡検査の終了時間に基づき、前記内視鏡の、少なくとも洗浄及び消毒工程を制御する洗浄及び消毒工程制御手段を
有して構成される。
【発明の効果】
【０００７】
本発明によれば、内視鏡の使用後の所定時間経過に基づいた内視鏡洗浄消毒処理を行うことができるという効果がある。
【発明を実施するための最良の形態】
【０００８】
以下、図面を参照しながら本発明の実施例について述べる。
【実施例１】
【０００９】
図１ないし図１７は本発明の実施例１に係わり、図１は内視鏡システムの構成を示すシステム外観図、図２は図１の内視鏡装置の構成を示す構成図、図３は図２の内視鏡の構成を示す図、図４は図３のユニバーサルコードの先端面の構成を示す図、図５は図２のリモコンの構成を示す図、図６は図２のビデオプロセッサの構成を示すブロック図、図７は図１の内視鏡洗浄消毒装置の洗浄槽を示す図、図８は図１の内視鏡洗浄消毒装置の構成を示すブロック図、図９は図６のビデオプロセッサの処理の流れを示すフローチャート、図１０は図９の処理を説明する図である。
【００１０】
図１１は図８の内視鏡洗浄消毒装置の処理の流れを示すフローチャート、図１２は図１１の処理を説明する第１の図、図１３は図１１の処理を説明する第２の図、図１４は図１１の処理を説明する第３の図、図１５は図１１の処理を説明する第４の図、図１６は図２の内視鏡挿入部の第１の変形例を示す図、図１７は図２の内視鏡挿入部の第２の変形例を示す図である。
【００１１】
図１に示すように、本実施例の内視鏡洗浄消毒管理システムとしての内視鏡システム１は、内視鏡装置２及び内視鏡洗浄消毒装置３とを備えて構成される。
【００１２】
前記内視鏡装置２は、内視鏡（以下、スコープとも記す）４を保持するための可撓性を有するアーム１２と、前記内視鏡４に搭載された撮像素子（図示せず）により撮像された撮像信号を信号処理して内視鏡画像を生成するためのビデオプロセッサ６と、前記内視鏡４に照明光を供給するための光源装置５と、前記内視鏡４に対して送気・送水及び吸引を行う送気送水装置７と、前記ビデオプロセッサ６が生成した前記内視鏡画像を表示する為の例えば液晶モニタ等からなる告知手段としてのモニタ１１から構成される。
【００１３】
これらビデオプロセッサ６、光源装置５及び送気送水装置７は、図２に示すように、カート８に積層的に、搭載・配置されている。前記カート８は、下部に電源部１４を有しており、この電源部１４からの電力を、ビデオプロセッサ６、光源装置５及び送気送水装置７に供給するようになっている。
【００１４】
前記カート８は、支柱上部にモニタ１１を前後左右に回転自在に保持すると共に、支柱上部のモニタ１１の配置位置の下部には作業用の作業プレート９が設けられている。この作業プレート９上に、例えばキーボードあるいはポインティングデバイスとしてのマウス（図示せず）等を配置することで、前記内視鏡装置２は、キーボードあるいはマウス等によりビデオプロセッサ６、光源装置５及び送気送水装置７に対して各種データの入力及び設定ができる。
【００１５】
また、ビデオプロセッサ６は、リモートコントローラ（以下、リモコンと記す）１３が着脱自在に接続できるようになっている。このリモコン１３を術者が操作することで、内視鏡４の後述する湾曲部の湾曲操作の制御や、内視鏡４が撮像した画像のレリーズあるいはフリーズ等の画像制御が、内視鏡４による体腔内検査中に容易に行うことができる。
【００１６】
また、前記内視鏡装置２は、前記内視鏡４と前記ビデオプロセッサ６とを電気的に接続する信号ケーブル１５と、前記光源装置５からの前記照明光を前記内視鏡４を伝送するためのライトガイドケーブル１６とを、前記アーム１２内に挿通させる。そして、前記アーム１２内の信号ケーブル１５及びライトガイドケーブル１６の基端部を前記アーム１２のアームコネクタ１２aにて終端させて、アームコネクタ１２aを前記ビデオプロセッサ６に接続させて構成される。
【００１７】
前記内視鏡４は、図２に示すように、内視鏡挿入部４aと、ユニバーサルケーブル４b と、管路チューブ４c とから構成される。そして、ユニバーサルケーブル４b はアーム１２に並設もしくは内蔵されており、ユニバーサルケーブル４b と接続されているアームコネクタ１２aを前記ビデオプロセッサ６に接続することで、ユニバーサルケーブル４b は、信号ケーブル１５により前記ビデオプロセッサ６に電気的に接続される。同時にライトガイドケーブル１６により前記光源装置５からの前記照明光がユニバーサルケーブル４b に伝送されるようになっている。なお、アームコネクタ１２aは、前記ビデオプロセッサ６に着脱自在に接続される。
【００１８】
図３に示すように、内視鏡挿入部４aは、先端に撮像素子（例えば、CCDあるいはC-MOSセンサ等）３０を有し、基端側にユニバーサルケーブル４b の先端部と管路チューブ４c の先端部とを着脱自在に接続できる。
【００１９】
また、内視鏡挿入部４aは、内部に、挿入軸に沿って、先端面が内視鏡挿入部４aの先端面にて開口した複数の管路からなる送気送水管路群３２を配置しており、この送気送水管路群３２の基端面は前記管路チューブ４c の先端面に接続されるようになっている。この管路チューブ４c の基端部は、前記送気送水装置７に着脱自在に接続される。なお、この管路チューブ４c は、１回の検査毎に使い捨てられるチューブ、いわゆるディスポーザブルチューブにより構成される。
【００２０】
上述したように、内視鏡挿入部４aの基端側にユニバーサルケーブル４b の先端部を接続した状態で、前記ビデオプロセッサ６は、信号ケーブル１５を介して内視鏡挿入部４に設けられた撮像素子３０を駆動／制御することができるようになっている。
【００２１】
また、内視鏡挿入部４aの先端部には湾曲駒からなる湾曲部２９が設けられており、内視鏡挿入部４aの先端部は、湾曲部２９に連結された複数、例えば４本の湾曲ワイヤ２８を、内視鏡挿入部４aの基端部内に設けた湾曲駆動ユニット２６により進退させることで、上下左右に湾曲部２９を湾曲させることができるように構成されている。
【００２２】
そして、内視鏡挿入部４aの基端側にユニバーサルケーブル４b の先端部を接続した状態で、ユニバーサルケーブル４b を前記ビデオプロセッサ６に接続することで、前記ビデオプロセッサ６は、信号ケーブル１５を介して内視鏡挿入部４aに設けられた湾曲駆動ユニット２６を駆動／制御することができるようになっている。
【００２３】
すなわち、内視鏡挿入部４aの基端側にユニバーサルケーブル４b の先端部を接続すると、内視鏡挿入部４aの基端側に設けられたコネクタ部２５a及び２６aと、ユニバーサルケーブル４b の先端部に設けられたコネクタ部２５b 及び２６b と、が電気的もしくは機械的に接続される。
【００２４】
したがって、内視鏡挿入部４aの基端側にユニバーサルケーブル４b の先端部を接続した状態で、前記ビデオプロセッサ６からの電気信号が、信号ケーブル１５、コネクタ部２５a及びコネクタ部２５b を介して撮像素子３０に伝送される。また、この状態で、前記ビデオプロセッサ６からの電気信号はまた、信号ケーブル１５、コネクタ部２６a及びコネクタ部２６b を介して湾曲駆動ユニット２６に伝送される。
【００２５】
一方、内視鏡挿入部４aは、内部に、ライトガイド２７aを挿入軸に沿って配置している。ライトガイド２７aの先端面は、図示しない対物光学系を介して内視鏡挿入部４aの先端面に水密な状態で開口している。また、ライトガイド２７aの基端面は、内視鏡挿入部４の基端側にユニバーサルケーブル４b の先端部を接続した場合に、ユニバーサルケーブル４b 内を挿通しているライトガイド２７b の先端面に、光学特性を劣化させることなく、光学的に接続される。さらに、ライトガイド２７b の基端面は、ユニバーサルケーブル４b の基端部を前記アーム１２のアームコネクタ１２aに接続した場合に、前記アーム１２内を挿通しているライトガイド１６の先端面に、光学特性を劣化させることなく、光学的に接続される。
【００２６】
したがって、内視鏡挿入部４の基端側にユニバーサルケーブル４b の先端部を接続した状態で、光源装置５からの照明光が、アーム１２内のライトガイド１６、ユニバーサルケーブル４b 内のライトガイド２７b 及び内視鏡挿入部４a内のライトガイド２７aを介して、内視鏡挿入部４aの先端に伝送することとなる。そして、内視鏡挿入部４aの先端に伝送された照明光は、内視鏡挿入部４aの先端面内に設けられた図示しない対物光学系を介して、先端前方に位置する被写体に照射される。
【００２７】
また、本実施例では、内視鏡挿入部４aは基端内部に第１の時間記憶手段としてのRF-ID(Radio Frequency IDentification)部２３（RF-ID素子）を有し、ユニバーサルケーブル４b は先端内部にRF-ID部２２を有して、それぞれ構成されている。さらに、ユニバーサルケーブル４b は先端内部に、これらRF-ID部２２、２３と無線にてデータを送受し、信号ケーブル１５を介してビデオプロセッサ６と有線にて前記データを送受するRF-IDアンテナ部２１を有している（図４参照：図４は図３の１点破線円で示す、ユニバーサルケーブル４b は先端面を示す図）。
【００２８】
前記リモコン１３は、図５に示すように、外表面に、前記ビデオプロセッサ６を介して湾曲駆動ユニット２６の駆動を指示する、例えばジョイスティック型の湾曲スイッチ１３b と、ビデオプロセッサ６でのレリーズ、フリーズ等の各種制御し指示する、複数の指示スイッチ１３c〜１３eが設けられている。また、リモコン１３は、内部にRF-ID部１３aを有して構成される。このRF-ID部１３aは、リモコン１３をユニバーサルケーブル４b に近づけることにより、 RF-IDアンテナ部２１と無線にてデータを送受するようになっている。
【００２９】
なお、前記RF-ID部２２、２３は、内視鏡４のIDであるスコープID（機種名、製造番号等の識別情報、管路特性情報等）及び、各種機器固有データ（使用回数、修理履歴情報、CCD特性データ等）、システムデータ（検査実施年月日、検査開始時間、検査終了時間、使用機器データ、検査実施者等）、洗浄消毒の履歴データ（洗浄消毒実施年月日、洗浄消毒終了時間、洗浄消毒回数、使用洗浄消毒装置情報、洗浄消毒実施者等）、等からなる内視鏡検査システムデータ（以下、単に検査データと記す）の書き込み、読み込みが可能なメモリ部（図示せず）を有して構成されている。
【００３０】
前記ビデオプロセッサ６は、図６に示すように、内視鏡４の内視鏡挿入部４aに設けられた撮像素子３０を駆動するCCDドライバ６０１と、前記撮像素子３０からの撮像信号を前処理（例えば、相関２重サンプリング、輝度調整、A/D変換等）する前処理部６０２を備えている。
【００３１】
また、ビデオプロセッサ６は、前処理部６０２により前処理された、デジタル化した映像信号に対して信号処理（例えば、ホワイトバランス処理、色調整、γ補正等）する映像信号処理部６０３と、映像信号処理部６０３にて信号処理された映像信号に基づき、モニタ１１に表示する表示画像を生成する表示画像生成部６０４を有している。
【００３２】
さらに、ビデオプロセッサ６は、内視鏡４のユニバーサルケーブル４b に設けられたRF-IDアンテナ部２１を駆動し、RF-IDアンテナ部２１を介してRF-ID部２２、２３及び１３aと検査データを送受するRF-ID R/W部６０５を有している。
【００３３】
また、ビデオプロセッサ６は、リモコン１３の指示信号を受信するリモコンI/F（インターフェイス）部６０８と、光源装置５及び送気送水装置７とシリアル通信（例えばRS-232C通信）を行うシリアルI/F部６０６とを有している。
【００３４】
そして、ビデオプロセッサ６は、上記各部を制御部６０９にて制御すると共に、制御部６０９はタイマ６０７を用いて各種制御を時間管理し、制御状態の来歴を図示しないデータ記憶部にてロギングしている。
【００３５】
内視鏡洗浄消毒装置３は、図７に示すように、上面に操作パネル３０３及びLCD表示部３０２（図１参照）を備えている。
【００３６】
なお、LCD表示部３０２は、タッチパネル機能を有し、このタッチパネル機能により内視鏡洗浄消毒装置３はユーザインターフェイスを実現している。
【００３７】
また、内視鏡洗浄消毒装置３は、内部に、所定の深さを備えた槽部である洗浄槽３aを備えている。この洗浄槽３内に、例えば内視鏡挿入部４aが所定の位置に配置されるようになっている。このとき、内視鏡挿入部４aの管路チューブ４c が接続される接続面が、洗浄槽３aの外側近傍に設けられる洗浄ブラシユニット３０１のブラシ進退方向と略直交するように、内視鏡挿入部４aが配置される。また、内視鏡洗浄消毒装置３は、このとき、内視鏡挿入部４aのユニバーサルケーブル４b が接続される接続面の、洗浄槽３aの外側近傍となる位置に、RF-IDアンテナ部２１aを配置している。
【００３８】
内視鏡洗浄消毒装置３は、内視鏡挿入部４aのRF-ID部２３内の検査データに基づき、洗浄ブラシユニット３０１により内視鏡挿入部４aの送気送水管路群３２（図３参照）内を所定時間、ブラッシングした後、洗浄槽３aに洗浄液、消毒液等を送り込み、所定時間、洗浄及び消毒処理を行う。その後、内視鏡洗浄消毒装置３は、濯ぎ、乾燥処理を行う。この内視鏡洗浄消毒装置３での一連の処理の説明は後述する。
【００３９】
内視鏡洗浄消毒装置３は、図８に示すように、洗浄及び消毒処理を制御する洗浄／消毒制御部３１１と、洗浄ブラシユニット３０１によるブラッシングを制御する洗浄ブラシ制御部３１２と、濯ぎ、乾燥処理を制御する濯ぎ／乾燥制御部３１３と、操作パネル３０３を制御する操作パネル制御部３１５と、LCD表示部３０２の表示制御及びタッチパネル機能制御を行うLCD制御部３１７とを備えている。
【００４０】
また、内視鏡洗浄消毒装置３は、RF-IDアンテナ部２１aを駆動し、RF-IDアンテナ部２１aを介して内視鏡挿入部４aのRF-ID部２３と検査データを送受する、RF-ID読み出し書き込み手段としてのRF-ID R/W部３１４を有している。
【００４１】
そして、内視鏡洗浄消毒装置３は、上記各部を制御部３１８にて制御すると共に、制御部３１８は現在時刻計測手段としてのタイマ３１６を用いて各種制御を時間管理し、制御状態の来歴を図示しないデータ記憶部にてロギングしている。本実施例では、洗浄及び消毒工程制御手段と、時間比較手段とは、制御部３１８により構成される。
【００４２】
このように構成された本実施例の作用を図９ないし図１５を用いて説明する。
【００４３】
内視鏡検査の開始に先立ち、術者により、内視鏡挿入部４aにユニバーサルケーブル４b 及び管路チューブ４c を接続して内視鏡４が組み立てられる。そして、術者により、ユニバーサルケーブル４b がビデオプロセッサ６に接続されると共に、管路チューブ４c が送気送水装置７に接続される。このとき、リモコン１３も術者により、ビデオプロセッサ６に接続される。
【００４４】
この状態で、術者によりビデオプロセッサ６、光源装置５及び送気送水装置７の電源がオンされることで、内視鏡装置２による検査が可能な状態となる。
【００４５】
内視鏡装置２による検査が可能な状態となると、ビデオプロセッサ６においては、図９に示すように、制御部６０９（図６参照）は、ステップS１にてビデオプロセッサ６内のシステムの各部の初期化処理を実行する。
【００４６】
そして、制御部６０９は、ステップS２にてユニバーサルケーブル４b のRF-IDアンテナ部２１（図３参照）を介してRF-ID部２３より検査データを読み出す。
【００４７】
続いて、制御部６０９は、ステップS３にて、読み出した検査データより、少なくとも洗浄消毒の履歴データの洗浄消毒実施年月日、洗浄消毒終了時間（以下、単に洗浄消毒終了時刻データと記す）を抽出・確認する。
【００４８】
なお、この洗浄消毒終了時刻データは、後述するように、内視鏡洗浄消毒装置３により、例えば内視鏡挿入部４aが洗浄されるタイミングで更新されるが、内視鏡挿入部４aの製品出荷時には、所定のデフォルトコードとして記録されている。
【００４９】
次に、制御部６０９は、ステップS３にて、確認した洗浄消毒時刻データと、タイマ６０７が示す、現在の年月日及び時刻（以下、単に現在時刻データ）とを比較し、洗浄消毒終了時刻データと現在時刻データとの差分が所定時間以内かどうか判定する。
【００５０】
まず、洗浄消毒終了時刻データと現在時刻データとの差分が所定時間以内の場合は、制御部６０９は、ステップS５にて、接続されている内視鏡４による検査が可能状態で有ると認識し、ステップS６にて検査が終了するまで、ステップS５〜S６を繰り返す。
【００５１】
検査の終了を確認すると、制御部６０９は、ステップS７にてタイマ６０７が示す、現在時刻データを検査終了時刻データとして確認する。
【００５２】
そして、制御部６０９は、ステップS８にて、ユニバーサルケーブル４b のRF-IDアンテナ部２１を介してRF-ID部２３に、確認した検査終了時刻データを検査データの検査終了時間として上書きして検査終了時間を更新し、処理を終了する。
【００５３】
このステップS８のとき、制御部６０９はユニバーサルケーブル４b のRF-IDアンテナ部２１を介して、ユニバーサルケーブル４b のRF-ID部２２及びリモコン１３のRF-ID部１３aにも確認した検査終了時間が検査データの検査終了時間として書き込む。
【００５４】
一方、ステップS４において洗浄消毒終了時刻データと現在時刻データとの差分が所定時間を超えていると判断すると、制御部６０９は、ステップS９にて、図１０に示すようなエラー画面を告知手段としてのモニタ１１に表示する。このエラー画面において術者がマウス等を用いてポインタ１１aによりOKボタン１１c を操作すると、処理を終了する。
【００５５】
このように本実施例では、ビデオプロセッサ６が検査開始に前に、内視鏡４の、少なくとも内視鏡挿入部４aの洗浄消毒終了時刻データを現在時刻データとリアルタイムで比較しているので、確実に、洗浄消毒終了時間が所定時間以内の内視鏡４の、少なくとも内視鏡挿入部４aを検査に使用することができる。
【００５６】
次に、このようにして、検査に使用された内視鏡４の、少なくとも内視鏡挿入部４aの内視鏡洗浄消毒装置３における、洗浄消毒処理について説明する。
【００５７】
術者が検査に使用された内視鏡挿入部４aを洗浄槽３aにセットし、内視鏡洗浄消毒装置３の電源をオンすると、内視鏡洗浄消毒装置３による洗浄消毒処理が開始される。
【００５８】
洗浄消毒処理が開始されると、内視鏡洗浄消毒装置３において、図１１に示すように、制御部３１８（図８参照）は、ステップS３１にて内視鏡洗浄消毒装置３内のシステムの各部の初期化処理を実行する。
【００５９】
そして、制御部３１８は、ステップS３２にて内視鏡洗浄消毒装置３のRF-IDアンテナ部２１a（図７参照）を介してRF-ID部２３より検査データを読み出す。
【００６０】
続いて、制御部３１８は、ステップS３３にて、読み出した検査データより、少なくともシステムデータの検査実施年月日、検査終了時間（以下、単に検査終了時刻データと記す）を抽出・確認する。
【００６１】
なお、この検査終了時刻データは、前述したように、ビデオプロセッサ６により、内視鏡検査の終了のタイミングで更新されるが、内視鏡挿入部４aの製品出荷時には、所定のデフォルトコードとして記録されている。
【００６２】
次に、制御部３１８は、ステップS３４にて、確認した検査終了時刻データと、タイマ３１６が示す、現在時刻データとを比較し、検査終了時刻データと現在時刻データとの差分が所定時間以内かどうか判定する。
【００６３】
まず、検査終了時刻データと現在時刻データとの差分が所定時間以内の場合は、制御部３１８は、ステップS３５にてLCD表示部３０２（図７参照）に、図１２に示すような時間設定画面を表示し、術者のLCD表示部３０２におけるタッチパネル機能による操作結果を待つ。
【００６４】
具体的には、例えば図１２の時間設定画面において、術者が自動ボタン３０２aを操作しかつOKボタン３０２d を操作すると、制御部３１８はステップS３５よりステップS３６に処理を移行する。また術者がマニュアルボタン３０２b を操作しかつOKボタン３０２d を操作すると、制御部３１８はステップS３５よりステップS４１に処理を移行する。
【００６５】
ステップS３６では、制御部３１８は、検査終了時刻データ（すなわち、検査終了時刻データと現在時刻データとの差分時間）に基づき、洗浄ブラシユニット３０１によるブラッシング時間（＝ブラシ時間）、洗浄時間及び消毒時間を算出し、ステップS３７に進む。
【００６６】
一方、ステップS４１では、図１２の時間設定画面において、マニュアル設定エリア３０２c がアクティブとなり、制御部３１８は、術者によるマニュアル設定エリア３０２c でのブラッシング時間（＝ブラシ時間）、洗浄時間及び消毒時間設定の操作を待ち、ステップS４２にて術者によるOKボタン３０２d が操作されるまで、制御部３１８は、ステップS４１〜S４２を繰り返す。そして、ステップS４２にて術者によるOKボタン３０２d を確認すると、ステップS３７に進む（または、所定時間内であれば、自動的に次のステップに移行してもよい）。
【００６７】
ステップS３７では、制御部３１８は、算出あるいは設定されたブラッシング時間（＝ブラシ時間）、洗浄時間及び消毒時間のブラッシング、洗浄及び消毒処理を行うと共に、濯ぎ及び乾燥処理を実行する。制御部３１８は、このステップS３７での処理の終了をステップS３８で確認するまで、ステップS３７〜S３８の処理を繰り返す。そして、制御部３１８は、ステップS３８にてステップS３７での処理の終了を確認すると、ステップS３９に進む。
【００６８】
ステップS３７での処理の終了を確認すると、制御部３１８は、ステップS３９にてタイマ３１６が示す、現在時刻データを洗浄消毒終了時刻データとして確認する。
【００６９】
そして、制御部３１８は、ステップS４０にて、内視鏡洗浄消毒装置３のRF-IDアンテナ部２１a（図７参照）を介してRF-ID部２３に、確認した洗浄消毒終了時刻データを検査データの洗浄消毒終了時間として上書きし洗浄消毒終了時間を更新し、かつ処理回数データをインクリメントして更新し、処理を終了する。
【００７０】
次に、ステップS３４において、検査終了時刻データと現在時刻データとの差分が所定時間を超えていると判断した場合の処理について説明する。
【００７１】
制御部３１８は、ステップS３４において、検査終了時刻データと現在時刻データとの差分が所定時間を超えていると判断した場合、処理をステップS４３に移行する。
【００７２】
ステップS４３では、制御部３１８は、図１３に示すような前処理である前洗浄を要求する前処理要求画面をLCD表示部３０２に表示し、検査終了時刻データと現在時刻データとの差分が所定時間を超えていることを警告する。
【００７３】
そして、制御部３１８は、ステップS４４にて、図１３の前処理要求画面において、術者がLCD表示部３０２におけるタッチパネル機能により、前洗浄済みボタン３０２eを操作したかあるいはOKボタン３０２eを操作したかどうか判断する。
【００７４】
ここで、前処理である前洗浄とは、術者あるいは看護士が手動で洗浄ブラシ（図示せず）を用い、内視鏡挿入部４aの外表面及び、送気送水管路群３２（図３参照）の各管路内を所定時間、所定の方法にてブラッシングする処理をいう。
【００７５】
そして、ステップS４４において前洗浄済みボタン３０２eが操作されたと判断すると、制御部３１８は、図１４に示すような時間設定画面をLCD表示部３０２に表示し、処理をステップS４１に移行する。
【００７６】
また、ステップS４４において前洗浄済みボタン３０２eではなくOKボタン３０２eが操作されたと判断すると、図１５に示すような警告画面をLCD表示部３０２に表示し、処理を終了する。
【００７７】
このように本実施例では、内視鏡洗浄消毒装置３は、洗浄消毒対象である内視鏡挿入部４aの検査終了時刻を現在時刻と比較し、検査終了時刻が所定時間以内ならば自動あるいはマニュアルで設定した時間に基づき、自動ブラッシング、自動洗浄及び自動消毒を実行し、検査終了時刻が所定時間経過している場合は、内視鏡挿入部４aの前洗浄を警告するので、確実かつ効果的に内視鏡挿入部４aをブラッシング、洗浄及び消毒することができ、内視鏡の使用後の所定時間経過に基づいた内視鏡洗浄消毒処理を行うことができる。
【００７８】
なお、本実施例では、例えばRF-ID部２３を内視鏡挿入部４aの基端部内に設けるとしたが、これに限らず、図１６に示すように、例えば内視鏡挿入部４aの基端部の外表面にRF-ID部２３の代わりにRF-ID部４０１を設けてもよい。この場合、RF-ID部４０１は、例えば表示内容を維持するための電源が不要な、公知の電子ペーパのような表示部を兼ね備えてもよく、検査終了時間及び洗浄消毒終了時間を表示させるようにしてもよい。電子ペーパのような表示部に検査終了時間及び洗浄消毒終了時間を表示させることで、内視鏡挿入部４aのセッティング前に、内視鏡挿入部４aの検査終了時間及び洗浄消毒終了時間を容易に確認することができる。
【００７９】
また、図１７に示すように、内視鏡挿入部４aの基端部に着脱自在のタグ４０２にRF-ID部２３の代わりにRF-ID部４０３を設けてもよい。この場合も、RF-ID部４０３は、例えば表示内容を維持するための電源が不要な、公知の電子ペーパのような表示部を兼ね備えてもよく、検査終了時間及び洗浄消毒終了時間を表示させるようにしてもよい。
【実施例２】
【００８０】
図１８ないし図２２は本発明の実施例２に係わり、図１８は内視鏡挿入部を内部に格納する内視鏡用トレイの外観を示す図、図１９は図１８の内視鏡用トレイに対応したビデオプロセッサの処理の流れを示すフローチャート、図２０は図１９の処理を説明する図、図２１は図１８の内視鏡用トレイに対応した内視鏡洗浄消毒装置の処理の流れを示すフローチャート、図２２は図２１の処理を説明する図である。
【００８１】
実施例２は、実施例１とほとんど同じであるので、異なる点のみ説明し、同一の構成には同じ符号をつけ説明は省略する。
【００８２】
本実施例では、図１８に示すように、内視鏡検査前及び、検査終了後に内視鏡挿入部４aを収納し、内視鏡挿入部４aの運搬、洗浄・消毒、保管を行う内視鏡用トレイ１０３が用意されている。
【００８３】
この内視鏡用トレイ１０３は、内視鏡洗浄消毒装置３の洗浄槽３a（図７参照）に直接装填（格納）でき、内視鏡洗浄消毒装置３にて、この内視鏡用トレイ１０３毎、内視鏡挿入部４aをブラッシング、洗浄及び消毒できる構造となっている。
【００８４】
また、内視鏡用トレイ１０３の外表面にはRF-ID部７０が設けられている。なお、本実施例では、図示はしないが、このRF-ID部７０と無線にてデータを送受し、ビデオプロセッサ６に伝送する、RF-IDアンテナ部がアーム１２あるいは作業プレート９（図１参照）の近傍に配置されている。また、この場合、RF-ID部７０は、例えば表示内容を維持するための電源が不要な、公知の電子ペーパのような表示部を兼ね備えてもよく、検査終了時間及び洗浄消毒終了時間を表示させるようにしてもよい。電子ペーパのような表示部に検査終了時間及び洗浄消毒終了時間を表示させることで、内視鏡挿入部４aのセッティング前に、内視鏡挿入部４aの検査終了時間及び洗浄消毒終了時間を容易に確認することができる。
【００８５】
この場合の送受信用のRFIDアンテナは、ビデオプロセッサ６からカート８に外部アンテナとして取り付ける方法や、ユニバーサルコード４b の先端に搭載する方法など、内視鏡装置２（あるいはカート８）の近傍でかつRF-ID部７０との通信が確保できる位置であれば何処でも設置しても良い。この場合も内視鏡挿入部４a←→ユニバーサルコード４b ←→ビデオプロセッサ６の経路において無線で信号伝達される（アンテナの位置によりビデオプロセッサ６⇔内視鏡挿入部４a、ビデオプロセッサ６←→ユニバーサルコード４b 、ビデオプロセッサ６←→リモコン１３の経路も可能）。
【００８６】
また、RF-ID部７０は、内視鏡用トレイ１０３を内視鏡洗浄消毒装置３にセットした際に、内視鏡洗浄消毒装置３のRF-IDアンテナ部２１a（図７参照）を介して内視鏡洗浄消毒装置３の制御部３１８とデータの送受が可能な位置に配置されるようになっている。
【００８７】
本実施例では、内視鏡挿入部４aも実施例１と同様に、基端部内にRF-ID部２３を有しているため、説明を明確にするため、本実施例では、以下、内視鏡挿入部４aのRF-ID部２３をスコープRF-ID２３と記し、内視鏡用トレイ１０３のRF-ID部７０をトレイRF-ID７０と記す。その他の構成は実施例１と同じである。
【００８８】
このように構成された本実施例の作用を図１９ないし図２２を用いて説明する。本実施例では、内視鏡挿入部４aは、内視鏡用トレイ１０３に内に格納され、運搬、保管される。また、内視鏡挿入部４aは、内視鏡用トレイ１０３に内に格納された状態で、内視鏡洗浄消毒装置３内に内視鏡用トレイ１０３をセットし、ブラッシング、洗浄、消毒等の処理がなされる。
【００８９】
本実施例では、内視鏡挿入部４aを内部に格納している内視鏡用トレイ１０３を作業プレート９（図１参照）に置き、内視鏡用トレイ１０３から内視鏡挿入部４aを取り出す。このとき、空の内視鏡用トレイ１０３は、作業プレート９上に放置される。
【００９０】
そして、実施例１と同様に、内視鏡検査の開始に先立ち、術者により、内視鏡挿入部４aにユニバーサルケーブル４b 及び管路チューブ４c を接続して内視鏡４が組み立てられる。そして、術者により、ユニバーサルケーブル４b がビデオプロセッサ６に接続されると共に、管路チューブ４c が送気送水装置７に接続される。このとき、リモコン１３も術者により、ビデオプロセッサ６に接続される。
【００９１】
この状態で、術者によりビデオプロセッサ６、光源装置５及び送気送水装置７の電源がオンされることで、内視鏡装置２による検査が可能な状態となる。
【００９２】
内視鏡装置２による検査が可能な状態となると、ビデオプロセッサ６においては、図１９に示すように、制御部６０９（図６参照）は、ステップS１にてビデオプロセッサ６内のシステムの各部の初期化処理を実行する。
【００９３】
そして、制御部６０９は、ステップS５１にて、ユニバーサルケーブル４b のRF-IDアンテナ部２１（図３参照）を介してスコープRF-ID２３より検査データを読み出し、スコープRF-ID２３に記録されているスコープ側の洗浄消毒終了時刻データを抽出する。さらに、制御部６０９は、ステップS５２にて、作業プレート９あるいはアーム１２の近傍に設けられたRF-IDアンテナ部（図示せず）を介してトレイRF-ID７０より検査データを読み出し、トレイRF-ID２３に記録されているトレイ側の洗浄消毒終了時刻データを抽出する。
【００９４】
次に、制御部６０９は、ステップS５３にて、ステップS５１において抽出したスコープ側の洗浄消毒終了時刻データと、ステップS５２において抽出したトレイ側の洗浄消毒終了時刻データを比較し、その差分時間が所定時間以内かどうかで、両洗浄消毒終了時刻データが一致しているかどうか判定する。
【００９５】
スコープ側の洗浄消毒終了時刻データとトレイ側の洗浄消毒終了時刻データとの差分時間が所定時間を超え、両洗浄消毒終了時刻データが一致していないと判断すると、制御部６０９は、ステップS９にて、図２０に示すようなエラー画面をモニタ１１に表示する。このエラー画面において術者がマウス等を用いてポインタ１１aによりOKボタン１１c を操作すると、処理を終了する。
【００９６】
一方、スコープ側の洗浄消毒終了時刻データとトレイ側の洗浄消毒終了時刻データとの差分時間が所定時間以内で、両洗浄消毒終了時刻データが一致していると判断すると、制御部６０９は、処理をステップS３に移行する。なお、ステップS３〜ステップS７までの処理は実施例１と同じである（図９参照）ので、説明は省略する。
【００９７】
そして、ステップS７において制御部６０９はタイマ６０７が示す、現在時刻データを検査終了時刻データとして確認すると、制御部６０９は、ステップS５４にて、ユニバーサルケーブル４b のRF-IDアンテナ部２１を介してスコープRF-ID２３に、確認した検査終了時刻データを検査データの検査終了時間として上書きして検査終了時間を更新し、処理を終了する。
【００９８】
また、このステップS５４のとき、制御部６０９は、作業プレート９あるいはアーム１２の近傍に設けられたRF-IDアンテナ部（図示せず）を介して、トレイRF-ID７０にも確認した検査終了時間が検査データの検査終了時間として書き込む。
【００９９】
このように本実施例では、ビデオプロセッサ６が検査開始に前に、内視鏡挿入部４aの洗浄消毒終了時刻データと、内視鏡挿入部４aを内部に格納している内視鏡用トレイ１０３の洗浄消毒終了時刻データとを比較し、その差分時間が所定時間を超えている場合、警告するので、内視鏡用トレイ１０３の洗浄消毒終了時刻データと一致しない洗浄消毒終了時刻データを有する内視鏡挿入部４aの検査の使用を避けることができる。
【０１００】
すなわち、内視鏡用トレイ１０３の洗浄消毒終了時刻データと、内視鏡挿入部４aの洗浄消毒終了時刻データとが一致しないというのは、内視鏡用トレイ１０３内に格納され、運搬、保管されているはずの、内視鏡用トレイ１０３を運搬、保管中に内視鏡用トレイ１０３から内視鏡挿入部４aが入れ替わった恐れが有る。
【０１０１】
本実施例は、このような場合に対しても、図２０に示したエラー画面をモニタ１１に表示して警告を行うことで、再度、内視鏡用トレイ１０３に格納した状態での内視鏡挿入部４aの洗浄、消毒処理を術者に促すので、内視鏡用トレイ１０３の洗浄消毒終了時刻データと一致しない洗浄消毒終了時刻データを有する内視鏡挿入部４aの検査の使用を避けることができる。
【０１０２】
また、実施例１と同様に、ビデオプロセッサ６が検査開始に前に、内視鏡４の、少なくとも内視鏡挿入部４aの洗浄消毒終了時刻データを現在時刻データとリアルタイムで比較しているので、確実に、洗浄消毒終了時間が所定時間以内の内視鏡４の、少なくとも内視鏡挿入部４aを検査に使用することができる。
【０１０３】
次に、このようにして、検査に使用された内視鏡４の、少なくとも内視鏡挿入部４aの内視鏡洗浄消毒装置３における、洗浄消毒処理について説明する。
【０１０４】
術者が検査に使用された内視鏡挿入部４a格納している内視鏡用トレイ１０３を洗浄槽３aにセットし、内視鏡洗浄消毒装置３の電源をオンすると、内視鏡洗浄消毒装置３による洗浄消毒処理が開始される。
【０１０５】
洗浄消毒処理が開始されると、内視鏡洗浄消毒装置３において、図２１に示すように、制御部３１８（図８参照）は、ステップS３１にて内視鏡洗浄消毒装置３内のシステムの各部の初期化処理を実行する。
【０１０６】
そして、制御部３１８は、ステップS６１にて、内視鏡洗浄消毒装置３のRF-IDアンテナ部２１a（図７参照）を介してスコープRF-ID２３より検査データを読み出し、スコープRF-ID２３に記録されているスコープ側の検査終了時刻データを抽出する。さらに、制御部３１８は、ステップS６２にて、内視鏡洗浄消毒装置３のRF-IDアンテナ部２１aを介してトレイRF-ID７０より検査データを読み出し、トレイRF-ID７０に記録されているトレイ側の洗浄消毒終了時刻データを抽出する。
【０１０７】
次に、制御部３１８は、ステップS６３にて、ステップS６１において抽出したスコープ側の洗浄消毒終了時刻データと、ステップS６２において抽出したトレイ側の洗浄消毒終了時刻データを比較し、その差分時間が所定時間以内かどうかで、両洗浄消毒終了時刻データが一致しているかどうか判定する。
【０１０８】
スコープ側の洗浄消毒終了時刻データとトレイ側の洗浄消毒終了時刻データとの差分時間が所定時間を超え、両洗浄消毒終了時刻データが一致していないと判断すると、制御部３１８は、ステップS４３にて、図２２に示すような前処理である前洗浄を要求する前処理要求画面をLCD表示部３０２に表示し、検査終了時刻データと現在時刻データとの差分が所定時間を超えていることを警告し、ステップS４４に処理を移行する。
【０１０９】
一方、スコープ側の洗浄消毒終了時刻データとトレイ側の洗浄消毒終了時刻データとの差分時間が所定時間以内で、両洗浄消毒終了時刻データが一致していると判断すると、制御部３１８は、処理をステップS３３に移行する。なお、ステップS３３〜ステップS４５までの処理は実施例１と同じである（図１１参照）ので、説明は省略する。
【０１１０】
そして、ステップS３９において制御部３１８はタイマ３１６が示す、現在時刻データを洗浄消毒終了時刻データとして確認すると、制御部３１８は、ステップS６４にて、内視鏡洗浄消毒装置３のRF-IDアンテナ部２１a（図７参照）を介してスコープRF-ID２３及びトレイRF-ID７０に、確認した洗浄消毒終了時刻データを検査データの洗浄消毒終了時間として上書きし洗浄消毒終了時間を更新し、かつ処理回数データをインクリメントして更新し、処理を終了する。
【０１１１】
このように本実施例では、内視鏡洗浄消毒装置３は、洗浄消毒処理前に、内視鏡挿入部４aの洗浄消毒終了時刻データと、内視鏡挿入部４aを内部に格納している内視鏡用トレイ１０３の洗浄消毒終了時刻データとを比較し、その差分時間が所定時間を超えている場合、警告するので、内視鏡用トレイ１０３の洗浄消毒終了時刻データと一致しない洗浄消毒終了時刻データを有する内視鏡挿入部４aの前処理である前洗浄の実施を術者に促すことができる。
【０１１２】
すなわち、内視鏡用トレイ１０３の洗浄消毒終了時刻データと、内視鏡挿入部４aの洗浄消毒終了時刻データとが一致しないというのは、内視鏡用トレイ１０３内に格納され、運搬、保管されているはずの、内視鏡用トレイ１０３を運搬、保管中に内視鏡用トレイ１０３から内視鏡挿入部４aが入れ替わった恐れが有る。
【０１１３】
本実施例は、このような場合に対しても、図２２に示した前処理である前洗浄を要求する前処理要求画面をモニタ１１に表示して警告を行うのでで、内視鏡挿入部４aの前処理である前洗浄の実施を術者に促すことができる。
【０１１４】
また、実施例１と同様に、内視鏡洗浄消毒装置３は、洗浄消毒対象である内視鏡挿入部４aの検査終了時刻を現在時刻と比較し、検査終了時刻が所定時間以内ならば自動あるいはマニュアルで設定した時間に基づき、自動ブラッシング、自動洗浄及び自動消毒を実行し、検査終了時刻が所定時間経過している場合は、内視鏡挿入部４aの前洗浄を警告するので、確実かつ効果的に内視鏡挿入部４aをブラッシング、洗浄及び消毒することができ、内視鏡の使用後の所定時間経過に基づいた内視鏡洗浄消毒処理を行うことができる。
【実施例３】
【０１１５】
図２３ないし図３０は本発明の実施例３に係わり、図２３は内視鏡システムの構成を示すシステム外観図、図２４は図２３の内視鏡システムを背面よりみた外観図、図２５は図２３の内視鏡の構成を示す図、図２６は図２３のビデオプロセッサの構成を示すブロック図、図２７は図２３の内視鏡洗浄消毒装置の構成を示すブロック図、図２８は図２３の内視鏡システムのシステム接続状態を示すシステム接続図、図２９は図２６のビデオプロセッサの処理の流れを示すフローチャート、図３０は図２７の内視鏡洗浄消毒装置の処理の流れを示すフローチャートである。
【０１１６】
実施例３は、実施例１とほとんど同じであるので、異なる点のみ説明し、同一の構成には同じ符号をつけ説明は省略する。
【０１１７】
図２３に示すように、本実施例の内視鏡洗浄消毒管理システムとしての内視鏡システム１aは、内視鏡装置２と、内視鏡洗浄消毒装置３と、内視鏡検査支援装置１００と、内視鏡第１保管庫１０１aと、内視鏡第２保管庫１０１b とを備えて構成される。
【０１１８】
図２４に示すように、内視鏡装置２のビデオプロセッサ６及び光源装置５と、内視鏡洗浄消毒装置３と、内視鏡検査支援装置１００と、内視鏡第１保管庫１０１aと、内視鏡第２保管庫１０１b とは、それぞれLAN接続部２００を背面に有しており、LAN接続ケーブル２０１をこれらLAN接続部２００に接続することで、各装置を院内LANに接続できるようになっている。
【０１１９】
内視鏡検査支援装置１００は、LAN接続部２００及びLAN接続ケーブル２０１を介してネットワーク接続されるビデオプロセッサ６、内視鏡洗浄消毒装置３、内視鏡第１保管庫１０１a及び内視鏡第２保管庫１０１b とデータを送受することで、内視鏡のID（機種名、製造番号等の識別情報、管路特性情報等）であるスコープID毎に、内視鏡検査の業務（例えば、カルテ作成、管理、検査予約、検査実施記録、洗浄消毒実施記録、履歴管理など）の検査情報を管理し支援する処理を行う装置である。
【０１２０】
内視鏡第１保管庫１０１及び内視鏡第２保管庫１０１b は、実施例２で説明した内視鏡挿入部４aを内部に格納している内視鏡用トレイ１０３毎に保管する保管庫である。
【０１２１】
また、本実施例の内視鏡装置２のビデオプロセッサ６に接続される内視鏡４において、図２５に示すように、内視鏡挿入部４は、基端側内部にスコープRF-ID２３近傍に、検査データの書き込み、読み込みが可能なIDメモリ部２５０aが設けられ、このIDメモリ部２５０aはコネクタ部２５aを介してビデオプロセッサ６に電気的に接続されている。
【０１２２】
同様に、内視鏡４において、ユニバーサルケーブル４b は、先端側内部にスコープRF-ID２２近傍に、検査データの書き込み、読み込みが可能なIDメモリ部２５０b が設けられ、このIDメモリ部２５０b はコネクタ部２５b を介してビデオプロセッサ６に電気的に接続されている。
【０１２３】
本実施例の内視鏡装置２のビデオプロセッサ６は、図２６に示すように、RF-IDアンテナ部を介してRF-ID部と検査データを送受するRF-ID R/W部６０５を有しておらず、従来のビデオプロセッサと同様に、IDメモリ部２５０a及びIDメモリ部２５０b と電気的に接続され、IDメモリ部２５０a及びIDメモリ部２５０b に対して検査データを書き込み、読み込みの制御を行うスコープID R/W部６０５aが設けられている。
【０１２４】
さらに、本実施例のビデオプロセッサ６は、LAN接続部２００に接続され、院内LANとネットワーク接続するためのLAN I/F部６１０を有して構成される。
【０１２５】
また、本実施例の内視鏡洗浄消毒装置３は、図２７に示すように、LAN接続部２００に接続され、院内LANとネットワーク接続するためのLAN I/F部３２０を有して構成される。
【０１２６】
図２８に本実施例の内視鏡システムのシステム接続図を示すが、図２８に示すように、ビデオプロセッサ６に接続されるリモコン１３にも、RF-ID部１３a近傍に、検査データの書き込み、読み込みが可能なIDメモリ部２５１が設けられ、このIDメモリ部２５１はビデオプロセッサ６に電気的に接続されている。  
その他の構成は実施例１と同じである。
【０１２７】
このように構成された本実施例の作用を図２９及び図３０を用いて説明する。
【０１２８】
内視鏡検査の開始に先立ち、術者により、内視鏡挿入部４aにユニバーサルケーブル４b 及び管路チューブ４c を接続して内視鏡４が組み立てられる。そして、術者により、ユニバーサルケーブル４b がビデオプロセッサ６に接続されると共に、管路チューブ４c が送気送水装置７に接続される。このとき、リモコン１３も術者により、ビデオプロセッサ６に接続される。
【０１２９】
この状態で、術者によりビデオプロセッサ６、光源装置５及び送気送水装置７の電源がオンされることで、内視鏡装置２による検査が可能な状態となる。
【０１３０】
内視鏡装置２による検査が可能な状態となると、ビデオプロセッサ６においては、図２９に示すように、制御部６０９は、ステップS１にてビデオプロセッサ６内のシステムの各部の初期化処理を実行する。
【０１３１】
そして、制御部６０９は、ステップS８１にてスコープID R/W部６０５aを介してIDメモリ部２５０aより検査データの内の内視鏡のID（機種名、製造番号等の識別情報、管路特性情報等）であるスコープIDを読み出す。
【０１３２】
続いて、制御部６０９は、ステップS８２にて、LAN I/F部６１０を介して内視鏡検査支援装置１００にネットワーク接続し、内視鏡検査支援装置１００より、読み出したスコープIDに基づいて、内視鏡挿入部４aの洗浄消毒終了時刻データを抽出・確認し、ステップS３に進む。
【０１３３】
なお、ステップS３以降の処理は、ステップS８の代わりにステップS８３の処理が行われる点が実施例１と異なるので、ステップS８３のみ説明し、その他省略する。
【０１３４】
ステップS７において制御部６０９はタイマ６０７が示す、現在時刻データを検査終了時刻データとして確認すると、制御部６０９は、ステップS８３にて、LAN I/F部６１０を介して内視鏡検査支援装置１００にネットワーク接続し、内視鏡検査支援装置１００に、確認した検査終了時刻データを検査データの検査終了時間として上書きして検査終了時間を更新し、処理を終了する。
【０１３５】
次に、このようにして、検査に使用された内視鏡４の、少なくとも内視鏡挿入部４aの内視鏡洗浄消毒装置３における、洗浄消毒処理について説明する。
【０１３６】
実施例２と同様に、術者が検査に使用された内視鏡挿入部４a格納している内視鏡用トレイ１０３を洗浄槽３aにセットし、内視鏡洗浄消毒装置３の電源をオンすると、内視鏡洗浄消毒装置３による洗浄消毒処理が開始される。
【０１３７】
洗浄消毒処理が開始されると、内視鏡洗浄消毒装置３において、図３０に示すように、制御部３１８は、ステップS３１にて内視鏡洗浄消毒装置３内のシステムの各部の初期化処理を実行する。
【０１３８】
そして、制御部３１８は、ステップS９１にて、内視鏡洗浄消毒装置３のRF-IDアンテナ部２１a（図７参照）を介してスコープRF-ID２３より内視鏡のID（機種名、製造番号等の識別情報、管路特性情報等）であるスコープIDを読み出す。
【０１３９】
そして、制御部３１８は、ステップS９２にて、LAN I/F部３２０を介して内視鏡検査支援装置１００にネットワーク接続し、内視鏡検査支援装置１００より、読み出したスコープIDに基づいて、内視鏡挿入部４aの検査終了時刻データを抽出する。そして、制御部３１８は、ステップS９２にて、抽出した検査終了時刻データを検査終了時間と確認して、ステップS３３に進む。
【０１４０】
なお、ステップS３３以降の処理は、ステップS４０の代わりにステップS９４の処理が行われる点が実施例１と異なるので、ステップS９４のみ説明し、その他省略する。
【０１４１】
ステップS３９において制御部３１８はタイマ３１６が示す、現在時刻データを洗浄消毒終了時刻データとして確認すると、制御部３１８は、ステップS６４にて、LAN I/F部３２０を介して内視鏡検査支援装置１００にネットワーク接続し、内視鏡検査支援装置１００に、確認した洗浄消毒終了時刻データを検査データの洗浄消毒終了時間として上書きし洗浄消毒終了時間を更新し、かつ処理回数データをインクリメントして更新し、処理を終了する。
【０１４２】
このように本実施例では、実施例１の効果に加え、内視鏡検査支援装置１００において、スコープID毎に、内視鏡検査の業務（例えば、カルテ作成、管理、検査予約、検査実施記録、洗浄消毒実施記録、履歴管理など）を管理しているので、既存のIDメモリ部システム及びRFIDを搭載した内視鏡を用いることで、例えばRF-ID R/W部を有しない従来のビデオプロセッサ（例えば本実施例のビデオプロセッサ６）を流用でき、新たにRF-ID R/W部を新たに追加する必要することなく、内視鏡検査の終了時刻を容易にかつ、追加投資なしで入手でき、適切な洗浄消毒を実施することができる。
【０１４３】
本発明は、上述した実施例に限定されるものではなく、本発明の要旨を変えない範囲において、種々の変更、改変等が可能である。
【図面の簡単な説明】
【０１４４】
【図１】本発明の実施例１に係る内視鏡システムの構成を示すシステム外観図
【図２】図１の内視鏡装置の構成を示す構成
【図３】図２の内視鏡の構成を示す図
【図４】図３のユニバーサルコードの先端面の構成を示す図
【図５】図２のリモコンの構成を示す図
【図６】図２のビデオプロセッサの構成を示すブロック図
【図７】図１の内視鏡洗浄消毒装置の洗浄槽を示す図
【図８】図１の内視鏡洗浄消毒装置の構成を示すブロック図
【図９】図６のビデオプロセッサの処理の流れを示すフローチャート
【図１０】図９の処理を説明する図
【図１１】図８の内視鏡洗浄消毒装置の処理の流れを示すフローチャート
【図１２】図１１の処理を説明する第１の図
【図１３】図１１の処理を説明する第２の図
【図１４】図１１の処理を説明する第３の図
【図１５】図１１の処理を説明する第４の図
【図１６】図２の内視鏡挿入部の第１の変形例を示す図
【図１７】図２の内視鏡挿入部の第２の変形例を示す図
【図１８】本発明の実施例２に係る内視鏡挿入部を内部に格納する内視鏡用トレイの外観を示す図
【図１９】図１８の内視鏡用トレイに対応したビデオプロセッサの処理の流れを示すフローチャート
【図２０】図１９の処理を説明する図
【図２１】図１８の内視鏡用トレイに対応した内視鏡洗浄消毒装置の処理の流れを示すフローチャート
【図２２】図２１の処理を説明する図
【図２３】本発明の実施例３に係る内視鏡システムの構成を示すシステム外観図
【図２４】図２３の内視鏡システムを背面よりみた外観図
【図２５】図２３の内視鏡の構成を示す図
【図２６】図２３のビデオプロセッサの構成を示すブロック図
【図２７】図２３の内視鏡洗浄消毒装置の構成を示すブロック図
【図２８】図２３の内視鏡システムのシステム接続状態を示すシステム接続図
【図２９】図２６のビデオプロセッサの処理の流れを示すフローチャート
【図３０】図３０は図２７の内視鏡洗浄消毒装置の処理の流れを示すフローチャート
【符号の説明】
【０１４５】
１…内視鏡システム
２…内視鏡装置
３…内視鏡洗浄消毒装置
４…内視鏡
４a…内視鏡挿入部
４b…ユニバーサルケーブル
４c…管路チューブ
５…光源装置
６…ビデオプロセッサ
７…送気送水装置
１３…リモコン
２１…RF-IDアンテナ部
２２、２３…RF-ID部
【図１】
2007325724.tif 000003
【図２】
2007325724.tif 000004
【図３】
2007325724.tif 000005
【図４】
2007325724.tif 000006
【図５】
2007325724.tif 000007
【図６】
2007325724.tif 000008
【図７】
2007325724.tif 000009
【図８】
2007325724.tif 000010
【図９】
2007325724.tif 000011
【図１０】
2007325724.tif 000012
【図１１】
2007325724.tif 000013
【図１２】
2007325724.tif 000014
【図１３】
2007325724.tif 000015
【図１４】
2007325724.tif 000016
【図１５】
2007325724.tif 000017
【図１６】
2007325724.tif 000018
【図１７】
2007325724.tif 000019
【図１８】
2007325724.tif 000020
【図１９】
2007325724.tif 000021
【図２０】
2007325724.tif 000022
【図２１】
2007325724.tif 000023
【図２２】
2007325724.tif 000024
【図２３】
2007325724.tif 000025
【図２４】
2007325724.tif 000026
【図２５】
2007325724.tif 000027
【図２６】
2007325724.tif 000028
【図２７】
2007325724.tif 000029
【図２８】
2007325724.tif 000030
【図２９】
2007325724.tif 000031
【図３０】
2007325724.tif 000032